(57)【要約】  足の各部位に適度な圧迫をかける機能性の靴下を提供する。本発明による機能性の圧迫長靴下は、足の部位別に圧迫の強度が保持されるように脛部、ふくら脛部、足の甲部、足の指部、かかと部及び足の裏部よりなる機能性の圧迫長靴下において、前記脛部、ふくら脛部、足の甲部及び足の裏部は、高弾力弾性糸をゴム糸として、且つ、ポリウレタン系の長繊維糸によりシングルカバーリングされた原糸や長繊維合繊糸を裏糸として前記部位別に所定の割合で編織され、前記足の指部とかかと部はポリウレタン系の長繊維糸によりシングルカバーリングされた原糸や長繊維合繊糸を裏糸として編織されていることを特徴とする。  本発明によれば、高弾力弾性糸を用いて多段階で横方向ゴム糸の編織張力を調整した多段系の圧縮編織技術を用いることにより、足に留まりうる血液を身体の双方向から圧迫をかけることにより却って血流を促進して長靴下の場合には医療用の静脈瘤、浮腫の予防及び治療用の靴下の生産が可能である。【選択図】図２
2007517145.tif 000002
【特許請求の範囲】
【請求項１】
足の部位別に圧迫の強度が保持されるように脛部、ふくら脛部、足の甲部、足の指部、かかと部及び足の裏部よりなる機能性の圧迫長靴下において、
前記脛部、ふくら脛部、足の甲部及び足の裏部は、高弾力弾性糸をゴム糸として、且つ、ポリウレタン系の長繊維糸によりシングルカバーリングされた原糸や長繊維合繊糸を裏糸として前記部位別に所定の割合で編織され、
前記足の指部とかかと部はポリウレタン系の長繊維糸によりシングルカバーリングされた原糸や長繊維合繊糸を裏糸として編織されていることを特徴とする機能性の圧迫長靴下。
【請求項２】
前記高弾力弾性糸は、ナイロン７０Ｄ／２４Ｆ／１高速仮拠糸によりダブルカバーリングされたライクラーソフト原糸であることを特徴とする請求項１に記載の機能性の圧迫長靴下。
【請求項３】
前記長繊維合成糸は、ポリアミド糸、ポリエステル糸、ポリプロピレン糸のうちいずれか１種であることを特徴とする請求項１に記載の機能性の圧迫長靴下。
【請求項４】
前記脛部と足の甲部は、ゴム糸と裏糸の割合が２：２の肋骨組織に編織され、前記ふくら脛部と足の裏部は、ゴム糸と裏糸の割合が１：１の肋骨組織に編織されていることを特徴とする請求項１に記載の機能性の圧迫長靴下。
【請求項５】
前記足の指部とかかと部は、無地組織に編織されていることを特徴とする請求項１に記載の機能性の圧迫長靴下。
【請求項６】
足の部位別に圧迫の強度が保持されるように靴下の入り口の絞り部、足首部、足の甲部、足の指部、かかと部及び足の裏部よりなる機能性の圧迫中靴下において、
前記靴下の入り口の絞り部、足首部、足の甲部及び足の裏部は、高弾力弾性糸をゴム糸として、且つ、ポリウレタン系の長繊維糸によりシングルカバーリングされた原糸や長繊維合繊糸を裏糸として前記部位別に所定の割合で編織され、
前記足の指部とかかと部は、ポリウレタン系の長繊維糸によりシングルカバーリングされた原糸や長繊維合繊糸を裏糸として編織されていることを特徴とする請求項１に記載の機能性の圧迫中靴下。
【請求項７】
前記高弾力弾性糸は、ナイロン７０Ｄ／２４Ｆ／１高速仮拠糸によりダブルカバーリングされたライクラーソフト原糸であることを特徴とする請求項６に記載の機能性の圧迫中靴下。
【請求項８】
前記長繊維合成糸は、ポリアミド糸、ポリエステル糸、ポリプロピレン糸のうちいずれか１種であることを特徴とする請求項６に記載の機能性の圧迫中靴下。
【請求項９】
前記靴下の入り口の絞り部は、ゴム糸と裏糸の割合が３：１の肋骨組織に編織され、前記足首部は、ゴム糸と裏糸の割合が２：２の肋骨組織に編織され、前記足の甲部と足の裏部は、ゴム糸と裏糸の割合が１：１の肋骨組織に編織されていることを特徴とする請求項６に記載の機能性の圧迫中靴下。
【請求項１０】
前記足の指部とかかと部は、無地組織に編織されていることを特徴とする請求項６に記載の機能性の圧迫中靴下。
【請求項１１】
足の部位別に圧迫の強度が保持されるように靴下の入り口の絞り部、足首の下端部、足の甲部、足の指部、かかと部及び足の裏部よりなる機能性の圧迫短靴下において、
前記靴下の入り口の絞り部、足首の下端部、足の甲部及び足の裏部は、高弾力弾性糸をゴム糸として、且つ、ポリウレタン系の長繊維糸によりシングルカバーリングされた原糸や長繊維合成繊糸を裏糸として前記部位別に所定の割合で編織され、
前記足の指部とかかと部は、ポリウレタン系の長繊維糸によりシングルカバーリングされた原糸や長繊維合繊糸を裏糸として編織されていることを特徴とする機能性の圧迫短靴下。
【請求項１２】
前記高弾力弾性糸は、ナイロン７０Ｄ／２４Ｆ／１高速仮拠糸によりダブルカバーリングされたライクラーソフト原糸であることを特徴とする請求項１１に記載の機能性の圧迫短靴下。
【請求項１３】
前記長繊維合成糸は、ポリアミド糸、ポリエステル糸、ポリプロピレン糸のうちいずれか１種であることを特徴とする請求項１１に記載の機能性の圧迫短靴下。
【請求項１４】
前記靴下の入り口の絞り部は、ゴム糸と裏糸の割合が３：１の肋骨組織に編織され、前記足首の下端部は、ゴム糸と裏糸の割合が２：２の肋骨組織に編織され、前記足の甲部と足の裏部は、ゴム糸と裏糸の割合が１：１の肋骨組織に編織されていることを特徴とする請求項１１に記載の機能性の圧迫短靴下。
【請求項１５】
前記足の指部とかかと部は、無地組織に編織されていることを特徴とする請求項１１に記載の機能性の圧迫短靴下。
【請求項１６】
足の部位別に圧迫の強度が保持されるように靴下の入り口の絞り部、足首の下端部、第１の足の甲部、第２の足の甲部、足の指部、かかと部及び足の裏部よりなる機能性の圧迫ヌードソックスにおいて、
前記靴下の入り口の絞り部、足首の下端部、第１の足の甲部、第２の足の甲部及び足の裏部は、高弾力弾性糸をゴム糸として、且つ、ポリウレタン系の長繊維糸によりシングルカバーリングされた原糸や長繊維合繊糸を裏糸として前記部位別に所定の割合で編織され、
前記足の指部とかかと部は、ポリウレタン系の長繊維糸によりシングルカバーリングされた原糸や長繊維合繊糸を裏糸として編織されていることを特徴とする機能性の圧迫ヌードソックス。
【請求項１７】
前記高弾力弾性糸は、ナイロン７０Ｄ／２４Ｆ／１高速仮拠糸によりダブルカバーリングされたライクラーソフト原糸であることを特徴とする請求項１６に記載の機能性の圧迫ヌードソックス。
【請求項１８】
前記長繊維糸は、ポリアミド糸、ポリエステル糸、ポリプロピレン糸のうちいずれか１種であることを特徴とする請求項１６に記載の機能性の圧迫ヌードソックス。
【請求項１９】
前記靴下の入り口の絞り部は、ゴム糸と裏糸の割合が３：１の肋骨組織に編織され、前記足首の下端部と第１の足の甲部は、ゴム糸と裏糸の割合が２：２の肋骨組織に編織され、前記第２の足の甲部と足の裏部は、ゴム糸と裏糸の割合が１：１の肋骨組織に編織されていることを特徴とする請求項１６に記載の機能性の圧迫ヌードソックス。
【請求項２０】
前記足の指部とかかと部は、無地組織に編織されていることを特徴とする請求項１６に記載の機能性の圧迫ヌードソックス。
【発明の詳細な説明】
【技術分野】
【０００１】
本発明は靴下の編織に係り、特に、足の各部位に適度な圧迫をかける機能性の靴下に関する。
【０００２】
本発明においては、前記脛部１１、ふくら脛部１４、足の甲部１２及び足の裏部１５は、ポリウレタン系の長繊維糸によりシングルカバーリングされた原糸や長繊維合繊糸を裏糸として用い、高弾性弾性糸としてのライクラーソフト原糸に別途のナイロン７０Ｄ／２４Ｆ／１高速仮拠糸を最適な条件下でダブルカバーリングしたゴム糸を用いて編織する。このゴム糸は、芯糸としてのライクラーソフト原糸そのものの伸張率を保持させると共に、前記ライクラーソフト原糸に固有な特性である強い復元力を同時に活用することができる。これにより、２通りの全く異なる概念の特性を有するナイロン７０Ｄ／２４Ｆ／１高速仮拠糸とライクラーソフト原糸を用いて高弾力弾性糸を製作するのである。
【０００３】
前記編織技術において、足の裏部１５から脛部１１まで次第に高弾力弾性糸を用いて原糸の水平方向の張力調節による体型に合う多段系の圧迫編織技術を適用して高弾力に編織し、１：１、２：２、３：１などの肋骨組織のゴム糸組織を活用して体型に合うように足の裏部１５から脛部１１まで次第に減圧されるように編織する編織技術を適用することにより、特に、脛部１１の場合、ツボ状の製品外観を有し、これにより、身体構造に適した外観だけではなく、着用したときにも部位別に柔らかくて強い圧迫で第２の高弾力の機能性の弾性皮膚の役割が果たせるように編織され、物理的な効果による血液の上向きの流れを円滑にして静脈瘤、浮腫の治療及び予防の効果が得られる編織技術を適用している。
【０００４】
また、編織技術及び後染などの熱加工方法を追加することにより、前記原糸の高弾力特性を倍加させる。
【０００５】
そして、ライクラーソフト原糸を用いてダブルカバーリング方法により別途のナイロン７０Ｄ／２４Ｆ／１高速仮拠糸を最適な条件下で巻き付けることにより、別途のポリウレタン原糸専用の滑り止め装置が無くても、通常の原糸給糸装置を使用可能にし、その結果、量産及び低コスト化を図ることが可能である。
【０００６】
また、前記高弾力弾性糸を用いることによりライクラーソフト原糸の固有な復元力は最大限に活用しながらも、ダブルカバーリングを通じてその伸張率を適度なレベルに維持（制限）させて強力な圧迫力を発揮させて、通常の靴下の製造に通常用いられるラテックス素材のダブルカバーリング糸を用いる場合の問題点などを解消すると共に、一段と高いレベルの物理的な特性（柔らかくて強い復元力）を与える。
【０００７】
そして、高弾力弾性糸の使用部位を調べてみると、特定の部位にのみ前記高弾力弾性糸を用いるのではなく、靴下の全体に亘ってこれを用い、身体の部位別に体型に合う強度の維持は、靴下編織機で前記高弾力弾性糸の速度調節により体型に合うようにかかとと足の指部を除き、靴下の全体に用いて、体型に合う高弾力の多段系の圧迫編織方法を用いることにより、足に留まりうる血液を身体の双方向から圧迫をかけることにより、却って血流を促進して、長靴下の場合には医療用の静脈瘤、浮腫の予防及び治療用の靴下の生産が可能である。
【０００８】
本発明は、強い復元力と低い伸張率の原糸の高弾力特性と多段系の圧迫編織技術を適用したことを特徴とする。
【背景技術】
【０００９】
本発明においては、前記脛部１１、ふくら脛部１４、足の甲部１２及び足の裏部１５は、ポリウレタン系の長繊維糸によりシングルカバーリングされた原糸や長繊維合繊糸を裏糸として用い、高弾性弾性糸としてのライクラーソフト原糸に別途のナイロン７０Ｄ／２４Ｆ／１高速仮拠糸を最適な条件下でダブルカバーリングしたゴム糸を用いて編織する。このゴム糸は、芯糸としてのライクラーソフト原糸そのものの伸張率を保持させると共に、前記ライクラーソフト原糸に固有な特性である強い復元力を同時に活用することができる。これにより、２通りの全く異なる概念の特性を有するナイロン７０Ｄ／２４Ｆ／１高速仮拠糸とライクラーソフト原糸を用いて高弾力弾性糸を製作するのである。
【００１０】
前記編織技術において、足の裏部１５から脛部１１まで次第に高弾力弾性糸を用いて原糸の水平方向の張力調節による体型に合う多段系の圧迫編織技術を適用して高弾力に編織し、１：１、２：２、３：１などの肋骨組織のゴム糸組織を活用して体型に合うように足の裏部１５から脛部１１まで次第に減圧されるように編織する編織技術を適用することにより、特に、脛部１１の場合、ツボ状の製品外観を有し、これにより、身体構造に適した外観だけではなく、着用したときにも部位別に柔らかくて強い圧迫で第２の高弾力の機能性の弾性皮膚の役割が果たせるように編織され、物理的な効果による血液の上向きの流れを円滑にして静脈瘤、浮腫の治療及び予防の効果が得られる編織技術を適用している。
【００１１】
また、編織技術及び後染などの熱加工方法を追加することにより、前記原糸の高弾力特性を倍加させる。
【００１２】
そして、ライクラーソフト原糸を用い、ダブルカバーリング方法により別途のナイロン７０Ｄ／２４Ｆ／１高速仮拠糸を最適な条件下でダブルカバーリング技術を適用して巻き付けることにより、別途のポリウレタン原糸専用の滑り止め装置が無くても、通常の原糸給糸装置を使用可能にし、その結果、量産及び低コスト化を図ることが可能である。
【００１３】
さらに、前記高弾力弾性糸を用いることによりライクラーソフト原糸の固有な復元力は最大限に活用しながらも、ダブルカバーリング技術を通じてその伸張率を適度なレベルに維持（制限）させて強力な圧迫力を発揮させて、通常の靴下の製造に通常用いられるラテックス素材のダブルカバーリング糸を用いる場合の問題点などを解消すると共に、一段と高いレベルの物理的な特性（柔らかくて強い復元力）を与える。
【００１４】
そして、高弾力弾性糸の使用部位を調べてみると、特定の部位にのみ前記高弾力弾性糸を用いるのではなく、靴下の全体に亘ってこれを用い、身体の部位別に体型に合う強度の維持は、靴下編織機で前記高弾力弾性糸の速度調節により体型に合うようにかかとと足の指部を除き、靴下の全体に用いて、体型に合う高弾力の多段系の圧迫編織方法を用いることにより、足に留まりうる血液を身体の双方向から圧迫をかけることにより、却って血流を促進して、長靴下の場合には医療用の静脈瘤、浮腫の予防及び治療用の靴下の生産が可能である。
【００１５】
本発明は、強い復元力と低い伸張率の原糸の高弾力特性と多段系の圧迫編織技術を適用したことを特徴とする。
【発明の開示】
【発明が解決しようとする課題】
【００１６】
通常、靴下の編織に用いられる原糸としては、その使用個所によって、裏糸、表糸、ゴム糸の３通りがある。
【００１７】
表糸については、用途によって種々の素材で構成可能である。例えば、綿、防寒用の場合には毛、アクリル糸などがその例である。ところが、現在、これまで開発されているこれらの種々の素材を用いて製品を生産してはいるが、その製品のほとんどは、単に表糸の素材的な特性のみを用いた編織にファッション性を加えた機能性の靴下に留まっている。
【００１８】
また、裏糸については、用途によって、通常、ナイロン／スパンデックス ／高伸縮性のポリエステルなどの種々の素材での構成が可能である。
【００１９】
一般に、靴下の編織分野において、ゴム糸としては、ラテックス素材のダブルカバーリングゴム糸（＃９０、＃１１０）が用いられており、既存のあらゆる靴下においては、基本的に、足首の上端部に通常のラテックス素材のダブルカバーリングゴム糸を１．５ｃｍ−４．５ｃｍの長さにして用いている。その上に、運動用の靴下や一部の機能性の靴下の場合には、一部の足首部や足の裏部の真ん中に通常のラテックス素材のダブルカバーリングゴム糸を４ｃｍ−４．５ｃｍ程度の長さにして用いることで、足からのずり落ちの防止や絞り感の提供を図っていた。
【００２０】
そして、通常のラテックス素材のダブルカバーリングゴム糸を用いる既存の機能性の靴下の場合には、長時間の活動、運動及び山登り時には靴下の低弾性により汗（または湿気）を含んでいない状態でも足との二元化現象（活動時に靴下が左右にずれる現象と前後にずれる現象）による不便さと、靴下（特に、足の裏部）の汗を吸収する場合、これによる足と靴下との二元化現象の深化により、極端的な場合、新たな靴下に履き替えなければならない物理的な問題が生じていた。また、そのまま長時間履き続ける場合、靴下の足の保護機能の低下はもとより、却って皮膚への物理的な問題（皮膚が剥がれたり、水泡が生じる現象など）を引き起こし、また運動時には、これらが原因となってさらなる運動感及び競技力の低下をもたらすという問題点があった。
【００２１】
従来の通常の靴下は、足の外部からの物理的な保護機能、特に冬季の場合、適当な素材の配合による保温機能、足にできる水分、つまり、汗を吸収するための水分吸収機能などの単なる足カバーとして各種の機能を行ってきたのが現状である。
【００２２】
また、近年、足の健康は、身体の健康と密接な関係があるということが明らかになるに伴い、靴下を編織する原糸に銅、銀、麦飯石などの特殊な鉱物質を用いてその鉱物質の特性を活用した機能性の靴下を製造するか、磁力成分を後加工処理により靴下製品に付着した特殊加工法が開発されて抗菌／抗臭機能を有する機能性の靴下を製造するか、あるいは、合成繊維の物理的な外観を変形させて吸収機能を強化した原糸、保温機能を強化した原糸を用いて機能性の靴下を製造するなどの機能性の靴下は存在していた。
【００２３】
しかしながら、伸縮性のために通常用いる低弾力のラテックスや一般スパンデックス素材とダブルカバーリングゴム糸を一部用い、ナイロンやその他の一般ポリウレタン素材の低弾力化学糸が大いに含まれている繊維により編織されてきたのが現状である。
【００２４】
以下、図１に基づき、通常の靴下の機能を説明する。
【００２５】
図１は、通常の靴下の斜視図である。
【００２６】
図１に示すように、足の指部２と足の裏部３及びかかと部４は、水分を円滑に吸収するために足の指部２とかかと部４は無地組織に編織され、足の甲部５、足首の下端部６及び足首部７は伸縮性のために通常用いるラテックス素材のダブルカバーリングゴム糸を一部用い、ナイロンやその他の一般ポリウレタン素材の低弾性化学糸が大いに含まれている繊維により編織されて靴下の基本骨格をなしている。
【００２７】
そして、前記ラテックス素材のダブルカバーリングゴム糸を特定の部位に限って用いるため、製品の外観と特定の部位にのみ用いる問題により生じうる特定な部位の絞り現象による血流を阻害する問題や、靴下の着用後に見られるゴム跡、そして、特に、皮膚が弱い人の場合、その跡によるアレルギー現象としてみなしうる痒み症などの現象が発生し、足首の場合にはゴム糸部を緩めて編織している。
【００２８】
その上、一部のスポーツ靴下の場合、足の裏や足首の一部に特別に一般ラテックス素材のダブルカバーリングゴム糸を入れて編織して相対的な伸縮性の違いだけをもって機能性の靴下として表現して用いてきたのが現状である。
【００２９】
また、通常、原糸は、それ自体の高弾力性により別途の加工無しにライクラーソフト原糸のみを用いて別途のポリウレタン原糸用の滑り止め装置が講じられている特殊な原糸給糸装置を用いて製品を生産してきている。
【００３０】
前記の方式により靴下を生産する場合には、ライクラーソフト原糸（５２０デニール）の固有な特性、つまり、一般の原糸に比べて強い復元力と伸張力を有する特性が靴下にそのまま発現される。
【００３１】
しかし、ライクラーソフト原糸（５２０デニール）により加工された靴下であるとしても、レポーツ用途の靴下においては、伸張率を一層制限する必要があるが、従来のライクラーソフト原糸（５２０デニール）製の靴下においては、伸張率を制限し得ない。
【００３２】
また、一般的な靴下編織機のゴム糸給糸装置の構造及び特性から、ライクラーソフト原糸では原糸の滑り現象により編織を意図の通りにできない。
【００３３】
図１に示すように、通常の靴下の本体は、単に足にできる水分を吸収して流下することを防止できるが、極端的な例として、浮腫患者や長時間立ちっぱなしで作業する勤労者の足部に生じうる血流による問題を解決するにはある程度の圧力（絞り）が足首と足の裏及び足の甲に加えられる必要があるが、前述の問題と素材の限界性及び編織技術の限界性により単に足を包む機能のみを行うという問題点がある。
【００３４】
本発明が解決しようとする技術的な課題は、高弾力弾性糸を用いて多段階で横方向のゴム糸の編織張力を調整して、足に留まりうる血液を身体の双方向から圧迫をかけることにより却って血流を促進する機能性の圧迫靴下を提供するところにある。
【課題を解決するための手段】
【００３５】
本発明においては、本発明においては、前記脛部１１、ふくら脛部１４、足の甲部１２及び足の裏部１５は、ポリウレタン系の長繊維糸によりシングルカバーリングされた原糸や長繊維合繊糸を裏糸として用い、高弾性弾性糸としてのライクラーソフト原糸に別途のナイロン７０Ｄ／２４Ｆ／１高速仮拠糸を最適な条件下でダブルカバーリングしたゴム糸を用いて編織する。このゴム糸は、芯糸としてのライクラーソフト原糸そのものの伸張率を保持させると共に、前記ライクラーソフト原糸に固有な特性である強い復元力を同時に活用することができる。これにより、２通りの全く異なる概念の特性を有するナイロン７０Ｄ／２４Ｆ／１高速仮拠糸とライクラーソフト原糸を用いて高弾力弾性糸を製作するのである。
【００３６】
前記編織技術において、足の裏部１５から脛部１１まで次第に高弾力弾性糸を用いて原糸の水平方向の張力調節による体型に合う多段系の圧迫編織技術を適用して高弾力に編織し、１：１、２：２、３：１などの肋骨組織のゴム糸組織を活用して体型に合うように足の裏部１５から脛部１１まで次第に減圧されるように編織する編織技術を適用することにより、特に、脛部１１の場合、ツボ状の製品外観を有し、これにより、身体構造に適した外観だけではなく、着用したときにも部位別に柔らかくて強い圧迫で第２の高弾力の機能性の弾性皮膚の役割が果たせるように編織され、物理的な効果による血液の上向きの流れを円滑にして静脈瘤、浮腫の治療及び予防の効果が得られる編織技術を適用している。
【００３７】
また、編織技術及び後染などの熱加工方法を追加することにより、前記原糸の高弾力特性を倍加させる。
【００３８】
そして、ライクラーソフト原糸を用いてダブルカバーリング方法により別途のナイロン７０Ｄ／２４Ｆ／１高速仮拠糸を最適な条件下で巻き付けることにより、別途のポリウレタン原糸専用の滑り止め装置が無くても、通常の原糸給糸装置を使用可能にし、その結果、量産及び低コスト化を図ることが可能である。
【００３９】
また、前記高弾力弾性糸を用いることによりライクラーソフト原糸の固有な復元力は最大限に活用しながらも、ダブルカバーリングを通じてその伸張率を適度なレベルに維持（制限）させて強力な圧迫力を発揮させて、通常の靴下の製造に通常用いられるラテックス素材のダブルカバーリング糸を用いる場合の問題点などを解消すると共に、一段と高いレベルの物理的な特性（柔らかくて強い復元力）を与える。
【００４０】
そして、高弾力弾性糸の使用部位を調べてみると、特定の部位にのみ前記高弾力弾性糸を用いるのではなく、靴下の全体に亘ってこれを用い、身体の部位別に体型に合う強度の維持は、靴下編織機で前記高弾力弾性糸の速度調節により体型に合うようにかかとと足の指部を除き、靴下の全体に用いて、体型に合う高弾力の多段系の圧迫編織方法を用いることにより、足に留まりうる血液を身体の双方向から圧迫をかけることにより、却って血流を促進して、長靴下の場合には医療用の静脈瘤、浮腫の予防及び治療用の靴下の生産が可能である。本発明は、強い復元力と低い伸張率の原糸の高弾力特性と多段系の圧迫編織技術を適用したことを特徴とする。
【００４１】
高弾力弾性糸を用いて多段階で横方向のゴム糸の編織張力を調整して、足に留まりうる血液を身体の双方向から圧迫をかけることにより却って血流を促進する機能性の圧迫靴下を提供する。
【００４２】
前記技術的な課題を解消するために、本発明による機能性の圧迫無地長靴下は、足の部位別に圧迫の強度が保持されるように脛部、ふくら脛部、足の甲部、足の指部、かかと部及び足の裏部よりなる機能性の圧迫長靴下において、前記脛部、ふくら脛部、足の甲部及び足の裏部は、高弾力弾性糸をゴム糸として、且つ、ポリウレタン系の長繊維糸によりシングルカバーリングされた原糸や長繊維合繊糸を裏糸として前記部位別に所定の割合で編織され、前記足の指部とかかと部はポリウレタン系の長繊維糸によりシングルカバーリングされた原糸や長繊維合繊糸を裏糸として編織されていることを特徴とする。
【００４３】
また、前記高弾力弾性糸は、ナイロン７０Ｄ／２４Ｆ／１高速仮拠糸によりダブルカバーリングされたライクラーソフト原糸であることを特徴とする。
【００４４】
また、前記長繊維糸としては、ポリアミド糸、ポリエステル糸、ポリプロピレン糸のうちいずれか１種を用いることを特徴とする。
【００４５】
また、前記脛部と足の甲部はゴム糸と裏糸の割合が２：２の肋骨組織に編織され、前記ふくら脛部と足の裏部はゴム糸と裏糸の割合が１：１の肋骨組織に編織されていることを特徴とする。
【００４６】
また、前記足の指部とかかと部は、無地組織に編織されていることを特徴とする。
【発明の効果】
【００４７】
本発明によれば、高弾力弾性糸を用いて多段階で横方向ゴム糸の編織張力を調整した多段系の圧縮編織技術を用いることにより、足に留まりうる血液を身体の双方向から圧迫をかけることにより却って血流を促進して長靴下の場合には医療用の静脈瘤、浮腫の予防及び治療用の靴下の生産が可能である。
【００４８】
また、足首部を高弾力で圧迫することにより、別途の足首の保護帯がなくても足首の保護機能を行うことができる。
【００４９】
また、足と靴下の温度の上昇を防ぐと共に、発生熱を直ちに吸収して履物を介して直ちに外部に発散し、過大な温度上昇による足の窮屈さを顕著に低減可能である。
【発明を実施するための最良の形態】
【００５０】
以下、図面に基づき本発明を詳細に説明する。
【００５１】
図２は、本発明による機能性の圧迫長靴下の一実施の形態を示すものであって、脛部１１、ふくら脛部１４、足の甲部１２、足の指部１７、かかと部１６及び足の裏部１５により構成される。
【００５２】
前記脛部１１、ふくら脛部１４、足の甲部１２及び足の裏部１５は高弾力弾性糸をゴム糸として、且つ、ポリウレタン系の長繊維糸によりシングルカバーリングされた原糸や長繊維合繊糸を裏糸として編織されている。
【００５３】
前記高弾力弾性糸としては、ねじれの防止及び伸縮性の維持のために、ナイロン７０Ｄ／２４Ｆ／１高速仮拠糸でＳよりまたはＺよりによりダブルカバーリングされた原糸が用いられ、前記原糸は、ポリウレタン系のライクラーソフト５２０デニール原糸である。
【００５４】
そして、前記足の指部１７とかかと部１６は、高弾力弾性糸を用いることなく、通常のポリウレタン系の長繊維糸によりシングルカバーリングされた原糸や長繊維合繊糸を裏糸として編織して、圧縮力が足の指部１７とかかと部１６に加えられず、足の指部１７を自然に動かすことができ、足の指の血流活動を円滑にする。
【００５５】
前記長繊維糸としては、ポリアミド糸、ポリエステル糸、ポリプロピレン糸のうちいずれか１種を用いる。
【００５６】
前記脛部１１と足の甲部１２は２：２肋骨組織に編織され、前記ふくら脛部１４と足の裏部１５は１：１肋骨組織に編織され、前記足の指部１７とかかと部１６は無地組織に編織される。このとき、足の甲部１２と足の裏部１５に加えられる圧縮力は、血流と同じ方向に加えられるように肋骨組織が設けられており、血流には差し支えない。
【００５７】
そして、前記足の甲部１２と足の裏部１５はそれぞれ２：２肋骨組織と１：１肋骨組織に編織されており、足の裏部１５に加えられる圧縮力よりも、足の甲部１２に加えられる圧縮力の方が強くて柔らかく作用される。
【００５８】
前記脛部１１の下部は、全体として２：２肋骨組織に編織されて、極めて強い圧縮力を有することになり、これにより、足首の弱い人や老若者の足首を保護する上で極めて有効である。
【００５９】
このようにして２：２肋骨組織に編織された脛部１１の下部には別途の圧迫包帯を用いる必要がなく、外観上きれいであり、特に、履物を履き脱ぎするのに全く負担無しに、却って通常の靴下及び通常の機能性の靴下よりも一層自然に履き脱ぎすることができる。
【００６０】
また、前記脛部１１は２：２肋骨組織に編織して圧縮力を強め、ふくら脛部１４は１：１肋骨組織に編織して脛部１１の圧縮力よりも弱い圧縮力を有する。
【００６１】
図３は、本発明による機能性の圧迫長靴下の正面図と背面図である。
【００６２】
図４は、本発明による機能性の圧迫長靴下の側面図であり、脛部１１を大きく３ブロックにゴム糸の幅のグループに分けて示している。
【００６３】
前記長靴下の脛部１１の編織方法において、脛部１１を３種の大ブロックにゴム糸の幅にグループ分けし、その中でも多段階で高弾力弾性糸の横方向の編織張力を調整した多段系の圧縮編織技術を適用することにより、外観からも脛部１１がツボ状の製品の外観を有し、これにより、身体構造に適した製品の外観のみならず、着用時にも部位別に柔らかくて強い圧迫により第２の高弾力の機能性の弾性皮膚の役割を果たすことができる。
【００６４】
図５は、本発明による機能性の圧迫長靴下の裏組織を示すものであり、足の裏から脛の上端部位までを示している。
【００６５】
図５の場合は、本発明の長靴下の裏の組織を図すものであり、足の裏部１５から脛部１１まで徐々に高弾力弾性糸を用いて原糸の水平方向の張力調節による体型に合う多段系の圧迫編織技術を適用して高弾力に編織することにより、体型に合うように足の裏部１５から脛部１１まで徐々に減圧されるように編織することにより、物理的な効果による血液の上向きの流れを円滑にして、さらには、静脈瘤、浮腫の治療及び予防の効果が得られる。
【００６６】
前記高弾力弾性糸を用いて身体の部位別に体型に合う強度の維持のための方法を調べてみると、機械の下部にドラム装置のない通常の靴下編織機を用いて各コース単位でダブルカバーリング使用ローラー及びステッピングモーターにより原糸の編織時に製品を基準として横方向に編織時に原糸が編織される速度を部位別に多段階で調節することにより編織がなされて体型に合う製品の幅が出るように製品の全体に前記高弾力弾性糸を用いて編織することにより、体型に合う高弾力多段系の圧迫靴下を実用化している。
【００６７】
そして、足首の前面部位の高弾力弾性糸の編織方法を調べてみると、現在までの編織技術によっては不可能であった足首の前面部位に高弾力弾性糸を用いて足の裏から足首まで編織を行う場合の１−２コース抜き現象による外観上の問題点を技術的に解消して完璧に足の裏部１５から脛部１１までを前記高弾力弾性糸を通常のラテックス素材のダブルカバーリングゴム糸に代えて編織することにより、通常のラテックス素材のダブルカバーリングゴム糸を用いて生産していた製品には見られない着用感と物理的な効果が得られる。
【００６８】
しかしながら、本発明と同レベルの高弾力を要することはないが、ある程度の既存の靴下の低弾力よりはやや強い弾力を要する場合には、通常の靴下の製造に通常用いられるラテックス素材のダブルカバーリング糸や用途によって異なる強度の通常のポリウレタン原糸やポリウレタン系の高弾力弾性糸であるライクラーソフト原糸を芯糸として、ナイロン７０Ｄ／２４Ｆ／１高速仮拠糸によりダブルカバーリング加工された原糸を用いて同じ方式の編織方法により用途に相異なる製品を編織することもできる。
【００６９】
図６は、本発明による機能性の圧迫中靴下の一実施の形態を示すものであり、靴下の入り口の絞り部２１、足首部２２、足の甲部２３、足の指部２４、かかと部２５及び足の裏部２６により構成されている。
【００７０】
前記靴下の入り口の絞り部２１、足首部２２、足の甲部２３及び足の裏部２６は、高弾力弾性糸をゴム糸として、且つ、ポリウレタン系の長繊維糸によりシングルカバーリングされた原糸や長繊維合繊糸を裏糸として編織されている。
【００７１】
前記高弾力弾性糸としては、ねじれの防止及び伸縮性の維持のために、ナイロン７０Ｄ／２４Ｆ／１高速仮拠糸でＳよりまたはＺよりによりダブルカバーリングされた原糸が用いられ、前記原糸はポリウレタン系のライクラーソフト５２０デニール原糸である。
【００７２】
そして、前記足の指部２４とかかと部２５はポリウレタン系の長繊維糸によりシングルカバーリングされた原糸や長繊維合繊糸を裏糸として編織される。
【００７３】
前記長繊維糸としては、ポリアミド糸、ポリエステル糸、ポリプロピレン糸のうちいずれか１種を用いる。
【００７４】
前記靴下の入り口の絞り部２１は３：１肋骨組織に編織され、前記足首部２２は２：２肋骨組織に編織され、前記足の甲部２３と足の裏部２６は１：１肋骨組織に編織され、前記足の指部２４とかかと部２５は無地組織に編織されることが好ましい。
【００７５】
図７は、本発明による機能性の圧迫短靴下の正面図及び背面図である。
【００７６】
図８は、本発明による機能性の圧迫短靴下の一実施の形態を示すものであり、靴下の入り口の絞り部３１、足首の下端部３２、足の甲部３３、足の指部３４、かかと部３５及び足の裏部３６により構成されている。
【００７７】
前記靴下の入り口の絞り部３１、足首の下端部３２、足の甲部３３及び足の裏部３６は、高弾力弾性糸をゴム糸として、且つ、ポリウレタン系の長繊維糸によりシングルカバーリングされた原糸または長繊維合繊糸を裏糸として編織されている。
【００７８】
前記高弾力弾性糸としては、ねじれの防止及び伸縮性の維持のために、ナイロン７０Ｄ／２４Ｆ／１高速仮拠糸でＳよりまたはＺよりによりダブルカバーリングされた原糸が用いられ、前記原糸はポリウレタン系のライクラーソフト５２０デニール原糸である。
【００７９】
そして、前記足の指部３４とかかと部３５は、ポリウレタン系の長繊維糸によりシングルカバーリングされた原糸または長繊維合繊糸を裏糸として編織される。
【００８０】
前記長繊維糸としては、ポリアミド糸、ポリエステル糸、ポリプロピレン糸のうちいずれか１種を用いる。
【００８１】
前記靴下の入り口の絞り部３１は３：１肋骨組織に編織され、前記足首の下端部３２は２：２肋骨組織に編織され、前記足の甲部３３と足の裏部３６は１：１肋骨組織に編織され、前記足の指部３４とかかと部３５は無地組織に編織されることが好ましい。
【００８２】
図９は、本発明による機能性の圧迫短靴下の正面図及び背面図である。
【００８３】
図１０は、本発明による機能性の圧迫ヌードソックスの一実施の形態を示すものであって、靴下の入り口の絞り部４１、足首の下端部４２、第１の足の甲部４３、第２の足の甲部４４、足の指部４５、かかと部４６及び足の裏部４７により構成されている。
【００８４】
前記靴下の入り口の絞り部４１、足首の下端部４２、第１の足の甲部４３、第２の足の甲部４４及び足の裏部４７は高弾力弾性糸をゴム糸として、且つ、ポリウレタン系の長繊維糸によりシングルカバーリングされた原糸または長繊維合繊糸を裏糸として編織されている。
【００８５】
前記高弾力弾性糸としては、ねじれの防止及び伸縮性の維持のために、ナイロン７０Ｄ／２４Ｆ／１高速仮拠糸でＳよりまたはＺよりによりダブルカバーリングされた原糸が用いられ、前記原糸はポリウレタン系のライクラーソフト５２０デニール原糸である。
【００８６】
そして、前記足の指部４５とかかと部４６はポリウレタン系の長繊維糸によりシングルカバーリングされた原糸または長繊維合繊糸を裏糸として編織される。
【００８７】
前記長繊維糸としては、ポリアミド糸、ポリエステル糸、ポリプロピレン糸のうちいずれか１種を用いる。
【００８８】
前記靴下の入り口の絞り部４１は３：１肋骨組織に編織され、前記足首の下端部４２と第１の足の甲部４３は２：２肋骨組織に編織され、前記第２の足の甲部４４と足の裏部４７は１：１肋骨組織に編織され、前記足の指部４５とかかと部４６は無地組織に編織されることが好ましい。
【００８９】
図１１は、本発明による機能性の圧迫ヌードソックスの正面図及び背面図である。
【００９０】
図１２は、本発明に用いられるダブルカバーリングされたライクラーソフト原糸を示すものであり、原糸５１及びナイロン高速仮拠糸５２、５３よりなる。
【００９１】
原糸５１は、織物の原料となる糸のことであって、本発明においては、ポリウレタン系のライクラーソフト原糸を用い、前記ライクラーソフト原糸５１は５２０デニール原糸である。
【００９２】
ナイロン高速仮拠糸５２、５３は常温下での伸縮性がよく、熱加工による収縮性に優れた材質であって、本発明においては、ナイロン７０Ｄ／２４Ｆ／１高速仮拠糸を用いる。
【００９３】
前記原糸５１の加工後のねじれの防止及び伸縮性の維持のために、ナイロン７０Ｄ／２４Ｆ／１高速仮拠糸５２、５３によりＳよりまたはＺよりでダブルカバーリングされた状態を示す。
【００９４】
前記ダブルカバーリングは、Ｓよりで１次カバーリングし、Ｚよりで２次カバーリングしたり、あるいは、Ｚよりで１次カバーリングし、Ｓよりで２次カバーリングする。
【００９５】
図１３は、本発明による機能性の圧迫パイル長靴下の一実施の形態を示すものであり、靴下の入り口の絞り部６１、脛の上端部６２、脛の下端部６３、足の甲部６４、足の指部６５、かかと部６６及び足の裏部６７よりなる。
【００９６】
前記靴下の入り口の絞り部６１、脛の上端部６２、脛の下端部６３、足の甲部６４及び足の裏部６７は高弾力弾性糸をゴム糸として、且つ、ポリウレタン系の長繊維糸によりシングルカバーリングされた原糸または長繊維合繊糸を裏糸として編織されている。
【００９７】
前記高弾力弾性糸としては、ねじれの防止及び伸縮性の維持のために、ナイロン７０Ｄ／２４Ｆ／１高速仮拠糸でＳよりまたはＺよりによりダブルカバーリングされた原糸が用いられ、前記原糸はポリウレタン系のライクラーソフト５２０デニール原糸である。
【００９８】
そして、前記足の指部６５とかかと部６６はポリウレタン系の長繊維糸によりシングルカバーリングされた原糸または長繊維合繊糸を裏糸として編織される。
【００９９】
前記長繊維糸としては、ポリアミド糸、ポリエステル糸、ポリプロピレン糸のうちいずれか１種を用いる。
【０１００】
前記靴下の入り口の絞り部６１、脛の上端部６２は、表は３：１肋骨組織に編織され、裏はパイル組織に編織される。
【０１０１】
ここで、前記靴下の入り口の絞り部６１は、表と裏を３：１肋骨組織に編織することもできる。
【０１０２】
前記脛の下端部６３は、表は２：１肋骨組織に編織され、裏はパイル組織に編織される。
【０１０３】
前記足の甲部６４と足の裏部６７は、表は１：１肋骨組織に編織され、裏はパイル組織に編織される。
【０１０４】
前記足の指部６５とかかと部６６は、表は無地組織に編織され、裏はパイル組織に編織される。
【０１０５】
図１４は、本発明による機能性の圧迫パイル長靴下の正面図及び背面図である。
【０１０６】
参照符号Ａ−１、Ａ−２、Ｂ、Ｃは、部位別に相異なる身体の体型に合う多段系の圧迫組織を示す。
【０１０７】
図１５は、本発明による機能性の圧迫パイル長靴下の裏部に対する正面図及び背面図である。
【０１０８】
参照符号丸１は靴下の入り口の絞り部であって、３：１肋骨組織に編織される。
【０１０９】
参照符号丸２と丸３は脛の上端部、脛の下端部、足の甲部、足の指部、かかと部及び足の裏部であって、パイル組織に編織されるが、用途に応じてパイル組織の加減は可能である。
【０１１０】
図１６は、本発明による機能性の圧迫パイル長靴下の裏部に対する正面図及び背面図である。
【０１１１】
参照符号丸１は靴下の入り口の絞り部であって、裏部の無地組織（３：１肋骨組織）を示し、参照符号丸２と丸３は脛の上端部、脛の下端部、足の甲部、足の指部、かかと部及び足の裏部であって、裏部のパイル組織が用いられている部位を示し、丸４丸５丸６丸７丸８（Ａ）（Ｂ）（Ｃ）（Ｄ）部は部位別に相異なる身体の体型に合う多段系の圧迫組織を示し、横線により示す部分はパイル組織の裏に高弾力弾性糸が用いられている部位を示す。
【０１１２】
上述したように、本発明においては、高弾性弾性糸であるライクラーソフト原糸を用いてダブルカバーリング方法により別途のナイロン７０Ｄ／２４Ｆ／１高速仮拠糸を最適な条件下で巻き付けることにより、芯糸であるライクラーソフト原糸そのものの伸張率を維持させ、前記ライクラーソフト原糸に固有な特性である一般の原糸に比べてはより強い復元力を同時に活用することにより、単一種であるが、２通りの完全に異なる概念の特性を有する原糸としての特性を活用し、また、編織技術及び後染などの熱加工方法を追加することにより前記原糸の高弾力特性を倍加させる。
【０１１３】
そして、ライクラーソフト原糸を用いてダブルカバーリング方法により別途のナイロン７０Ｄ／２４Ｆ／１高速仮拠糸を最適な条件下で巻き付けることにより、別途のポリウレタン原糸専用の滑り止め装置が講じられている原糸給糸装置を使用可能になることにより、量産及び低コスト化を図ることが可能である。
【０１１４】
また、前記高弾力弾性糸を用いることにより、ライクラーソフト原糸の固有な復元力は最大限に活用しながらも、ダブルカバーリングを通じてその伸張率を適度なレベルに維持（制限）させて強力な圧迫力を発揮させて、通常の靴下の製造に通常用いられるラテックス素材のダブルカバーリング糸を用いる場合の問題点などを解消すると共に、一段と高いレベルの物理的な特性（柔らかくて強い復元力）を与える。
【０１１５】
そして、高弾力弾性糸の使用部位を調べてみると、特定の部位にのみ前記高弾力弾性糸を用いるのではなく、靴下の全体に亘ってこれを用い、身体の部位別に体型に合う強度の維持は、靴下編織機により前記高弾力弾性糸の速度調節により体型に合うようにかかとと足の指部を除き、靴下の全体に用いて、体型に合う高弾力の多段系の圧迫編織方法を用いることにより、足に留まりうる血液を身体の双方向から圧迫をかけることにより、却って血流を促進して長靴下の場合は医療用の静脈瘤、浮腫の予防及び治療用の靴下の生産が可能な強い復元力と低い伸張率の原糸の高弾力特性と、多段系の圧迫編織技術とを組み合わせたことを特徴とする。
【０１１６】
以上、本発明は図示された実施の形態を参考として述べられているが、これは単なる例示的なものに過ぎず、この技術分野における通常の知識を有した者であれば、これより種々の変形及び均等な他の実施の形態が可能であるということが理解できるであろう。よって、本発明の真の技術的な保護範囲は特許請求の範囲の技術的な思想によって定まるべきである。
【産業上の利用可能性】
【０１１７】
足首の弱い人や老若者の足首を保護するための別途の足首保護帯を着用することなく、足首保護帯を内蔵した靴下として使用可能にするのに極めて有効である。
【０１１８】
足の裏部の足底筋を保護する用途としても使用可能であり、第２の高弾力の機能性の弾性皮膚の役割を果たして足と下地の皮膚を物理的に保護できる用途として使用可能であり、足の裏部から脛部まで徐々に高弾力弾性糸を用いて原糸の水平方向の張力調節による体型に合う多段系の圧迫編織技術を適用した関係で高弾力に編織することにより、体型に合うように足の裏部から脛部まで徐々に減圧されるように編織することにより、物理的な効果による血液の上向きの流れを円滑にして、静脈瘤、浮腫の治療及び予防用の靴下として使用可能であり、体型に合う高弾力多段系の圧迫靴下であるため、ダイエット、体型補正用としても使用可能である。
【０１１９】
また、これをスポーツ用途に用いる場合には、より様々な用途としての使用が可能である。
【０１２０】
以上、本発明は図示された実施の形態を参考として述べられているが、これは単なる例示的なものに過ぎず、この技術分野における通常の知識を有した者であれば、これより種々の変形及び均等な他の実施の形態が可能であるということが理解できるであろう。よって、本発明の真の技術的な保護範囲は特許請求の範囲の技術的な思想によって定まるべきである。
【図面の簡単な説明】
【０１２１】
【図１】通常の靴下の斜視図である。
【図２】本発明による機能性の圧迫長靴下の斜視図である。
【図３】本発明による機能性の圧迫長靴下の正面図及び背面図である。
【図４】本発明による機能性の圧迫長靴下の左右側面図である。
【図５】本発明による機能性の圧迫長靴下の裏部に対する正面図及び背面図である。
【図６】本発明による機能性の圧迫中靴下の斜視図である。
【図７】本発明による機能性の圧迫中靴下の裏部に対する正面図及び背面図である。
【図８】本発明による機能性の圧迫短靴下の斜視図である。
【図９】本発明による機能性の圧迫短靴下の裏部に対する正面図及び背面図である。
【図１０】本発明による機能性の圧迫ヌードソックスの斜視図である。
【図１１】本発明による機能性の圧迫ヌードソックスの裏部に対する正面図及び背面図である。
【図１２】本発明に用いられるダブルカバーリングされたライクラーソフト原糸を示す図である。
【図１３】本発明による機能性の圧迫パイル長靴下の一実施の形態を示す図である。
【図１４】本発明による機能性の圧迫パイル長靴下の正面図及び背面図である。
【図１５】本発明による機能性の圧迫パイル長靴下の裏部に対する正面図及び背面図である。
【図１６】本発明による機能性の圧迫パイル長靴下の裏部に対する正面図及び背面図である。
【符号の説明】
【０１２２】
１１：脛部
１２：足の甲部
１４：ふくら脛部
１５：足の裏部
１６：かかと部
１７：足の指部
【図１】
2007517145.tif 000003
【図２】
2007517145.tif 000004
【図３】
2007517145.tif 000005
【図４】
2007517145.tif 000006
【図５】
2007517145.tif 000007
【図６】
2007517145.tif 000008
【図７】
2007517145.tif 000009
【図８】
2007517145.tif 000010
【図９】
2007517145.tif 000011
【図１０】
2007517145.tif 000012
【図１１】
2007517145.tif 000013
【図１２】
2007517145.tif 000014
【図１３】
2007517145.tif 000015
【図１４】
2007517145.tif 000016
【図１５】
2007517145.tif 000017
【図１６】
2007517145.tif 000018
【手続補正書】
【提出日】平成18年8月29日(2006.8.29)
【手続補正１】
【補正対象書類名】特許請求の範囲
【補正対象項目名】全文
【補正方法】変更
【補正の内容】
【特許請求の範囲】
【請求項１】
足の部位別に圧迫の強度が保持されるように脛部、ふくら脛部、足の甲部、足の指部、かかと部及び足の裏部よりなる機能性の圧迫長靴下において、
前記脛部、ふくら脛部、足の甲部及び足の裏部は、高弾力弾性糸をゴム糸として、且つ、ポリウレタン系の長繊維糸によりシングルカバーリングされた原糸や長繊維合繊糸を裏糸として前記部位別に所定の割合で編織され、
前記足の指部とかかと部はポリウレタン系の長繊維糸によりシングルカバーリングされた原糸や長繊維合繊糸を裏糸として編織されていることを特徴とする機能性の圧迫長靴下。
【請求項２】
前記高弾力弾性糸は、ナイロン７０Ｄ／２４Ｆ／１の高速仮拠糸によりダブルカバーリングされたライクラーソフト原糸であることを特徴とする請求項１に記載の機能性の圧迫長靴下。
【請求項３】
前記長繊維合成糸は、ポリアミド糸、ポリエステル糸、ポリプロピレン糸のうちいずれか１種であることを特徴とする請求項１に記載の機能性の圧迫長靴下。
【請求項４】
前記脛部と足の甲部は、ゴム糸と裏糸の割合が２：２の肋骨組織に編織され、前記ふくら脛部と足の裏部は、ゴム糸と裏糸の割合が１：１の肋骨組織に編織されていることを特徴とする請求項１に記載の機能性の圧迫長靴下。
【請求項５】
前記足の指部とかかと部は、無地組織に編織されていることを特徴とする請求項１に記載の機能性の圧迫長靴下。
【請求項６】
足の部位別に圧迫の強度が保持されるように靴下の入り口の絞り部、足首部、足の甲部、足の指部、かかと部及び足の裏部よりなる機能性の圧迫中靴下において、
前記靴下の入り口の絞り部、足首部、足の甲部及び足の裏部は、高弾力弾性糸をゴム糸として、且つ、ポリウレタン系の長繊維糸によりシングルカバーリングされた原糸や長繊維合繊糸を裏糸として前記部位別に所定の割合で編織され、
前記足の指部とかかと部は、ポリウレタン系の長繊維糸によりシングルカバーリングされた原糸や長繊維合繊糸を裏糸として編織されていることを特徴とする請求項１に記載の機能性の圧迫中靴下。
【請求項７】
前記高弾力弾性糸は、ナイロン７０Ｄ／２４Ｆ／１の高速仮拠糸によりダブルカバーリングされたライクラーソフト原糸であることを特徴とする請求項６に記載の機能性の圧迫中靴下。
【請求項８】
前記長繊維合成糸は、ポリアミド糸、ポリエステル糸、ポリプロピレン糸のうちいずれか１種であることを特徴とする請求項６に記載の機能性の圧迫中靴下。
【請求項９】
前記靴下の入り口の絞り部は、ゴム糸と裏糸の割合が３：１の肋骨組織に編織され、前記足首部は、ゴム糸と裏糸の割合が２：２の肋骨組織に編織され、前記足の甲部と足の裏部は、ゴム糸と裏糸の割合が１：１の肋骨組織に編織されていることを特徴とする請求項６に記載の機能性の圧迫中靴下。
【請求項１０】
前記足の指部とかかと部は、無地組織に編織されていることを特徴とする請求項６に記載の機能性の圧迫中靴下。
【請求項１１】
足の部位別に圧迫の強度が保持されるように靴下の入り口の絞り部、足首の下端部、足の甲部、足の指部、かかと部及び足の裏部よりなる機能性の圧迫短靴下において、
前記靴下の入り口の絞り部、足首の下端部、足の甲部及び足の裏部は、高弾力弾性糸をゴム糸として、且つ、ポリウレタン系の長繊維糸によりシングルカバーリングされた原糸や長繊維合成繊糸を裏糸として前記部位別に所定の割合で編織され、
前記足の指部とかかと部は、ポリウレタン系の長繊維糸によりシングルカバーリングされた原糸や長繊維合繊糸を裏糸として編織されていることを特徴とする機能性の圧迫短靴下。
【請求項１２】
前記高弾力弾性糸は、ナイロン７０Ｄ／２４Ｆ／１の高速仮拠糸によりダブルカバーリングされたライクラーソフト原糸であることを特徴とする請求項１１に記載の機能性の圧迫短靴下。
【請求項１３】
前記長繊維合成糸は、ポリアミド糸、ポリエステル糸、ポリプロピレン糸のうちいずれか１種であることを特徴とする請求項１１に記載の機能性の圧迫短靴下。
【請求項１４】
前記靴下の入り口の絞り部は、ゴム糸と裏糸の割合が３：１の肋骨組織に編織され、前記足首の下端部は、ゴム糸と裏糸の割合が２：２の肋骨組織に編織され、前記足の甲部と足の裏部は、ゴム糸と裏糸の割合が１：１の肋骨組織に編織されていることを特徴とする請求項１１に記載の機能性の圧迫短靴下。
【請求項１５】
前記足の指部とかかと部は、無地組織に編織されていることを特徴とする請求項１１に記載の機能性の圧迫短靴下。
【請求項１６】
足の部位別に圧迫の強度が保持されるように靴下の入り口の絞り部、足首の下端部、第１の足の甲部、第２の足の甲部、足の指部、かかと部及び足の裏部よりなる機能性の圧迫ヌードソックスにおいて、
前記靴下の入り口の絞り部、足首の下端部、第１の足の甲部、第２の足の甲部及び足の裏部は、高弾力弾性糸をゴム糸として、且つ、ポリウレタン系の長繊維糸によりシングルカバーリングされた原糸や長繊維合繊糸を裏糸として前記部位別に所定の割合で編織され、
前記足の指部とかかと部は、ポリウレタン系の長繊維糸によりシングルカバーリングされた原糸や長繊維合繊糸を裏糸として編織されていることを特徴とする機能性の圧迫ヌードソックス。
【請求項１７】
前記高弾力弾性糸は、ナイロン７０Ｄ／２４Ｆ／１の高速仮拠糸によりダブルカバーリングされたライクラーソフト原糸であることを特徴とする請求項１６に記載の機能性の圧迫ヌードソックス。
【請求項１８】
前記長繊維合成糸は、ポリアミド糸、ポリエステル糸、ポリプロピレン糸のうちいずれか１種であることを特徴とする請求項１６に記載の機能性の圧迫ヌードソックス。
【請求項１９】
前記靴下の入り口の絞り部は、ゴム糸と裏糸の割合が３：１の肋骨組織に編織され、前記足首の下端部と第１の足の甲部は、ゴム糸と裏糸の割合が２：２の肋骨組織に編織され、前記第２の足の甲部と足の裏部は、ゴム糸と裏糸の割合が１：１の肋骨組織に編織されていることを特徴とする請求項１６に記載の機能性の圧迫ヌードソックス。
【請求項２０】
前記足の指部とかかと部は、無地組織に編織されていることを特徴とする請求項１６に記載の機能性の圧迫ヌードソックス。
【手続補正２】
【補正対象書類名】明細書
【補正対象項目名】全文
【補正方法】変更
【補正の内容】
【書類名】明細書
【発明の名称】機能性の圧迫靴下
【技術分野】
本発明は靴下の編織に係り、特に、足の各部位に適度な圧迫をかける機能性の靴下に関する。
【背景技術】
一般に、靴下の編織に用いられる原糸としては、その使用個所によって、裏糸、表糸、ゴム糸の３通りがある。
表糸については、用途によって種々の素材で構成可能である。例えば、綿、防寒用の場合には毛、アクリル糸などがその例である。ところが、現在、これまで開発されているこれらの種々の素材を用いて製品を生産してはいるが、その製品のほとんどは、単に表糸の素材的な特性のみを用いた編織にファッション性を加えた機能性の靴下に留まっている。
また、裏糸については、用途によって、通常、ナイロン／スパンデックス ／高伸縮性のポリエステルなどの種々の素材での構成が可能である。
一般に、靴下の編織分野において、ゴム糸としては、ラテックス素材のダブルカバーリングゴム糸（＃９０、＃１１０）が用いられており、既存のあらゆる靴下においては、基本的に、足首の上端部に通常のラテックス素材のダブルカバーリングゴム糸を１．５ｃｍ−４．５ｃｍの長さにして用いている。その上に、運動用の靴下や一部の機能性の靴下の場合には、一部の足首部や足の裏部の真ん中に通常のラテックス素材のダブルカバーリングゴム糸を４ｃｍ−４．５ｃｍ程度の長さにして用いることで、足からのずり落ちの防止や絞り感の提供を図っていた。
そして、通常のラテックス素材のダブルカバーリングゴム糸を用いる既存の機能性の靴下の場合には、長時間の活動、運動及び山登り時には靴下の低弾性により汗（または湿気）を含んでいない状態でも足との二元化現象（活動時に靴下が左右にねじれる現象と前後にずれる現象）による不便さと、靴下（特に、足の裏部）の汗を吸収する場合、これによる足と靴下との二元化現象の深化により、極端的な場合、新たな靴下に履き替えなければならない物理的な問題が生じていた。また、そのまま長時間履き続ける場合、靴下の足の保護機能の低下はもとより、却って皮膚への物理的な問題（皮膚が剥がれたり、水泡が生じる現象など）を引き起こし、また運動時には、これらが原因となってさらなる運動感及び競技力の低下をもたらすという問題点があった。
従来の通常の靴下は、足の外部からの物理的な保護機能、特に冬季の場合、適当な素材の配合による保温機能、足にできる水分、つまり、汗を吸収するための水分吸収機能などの単なる足カバーとして各種の機能を行ってきたのが現状である。
また、近年、足の健康は、身体の健康と密接な関係があるということが明らかになるに伴い、靴下を編織する原糸に銅、銀、麦飯石などの特殊な鉱物質を用いてその鉱物質の特性を活用した機能性の靴下を製造するか、磁力成分を後加工処理により靴下製品に付着した特殊加工法が開発されて抗菌／抗臭機能を有する機能性の靴下を製造するか、あるいは、合成繊維の物理的な外観を変形させて吸収機能を強化した原糸、保温機能を強化した原糸を用いて機能性の靴下を製造するなどの機能性の靴下は存在していた。
しかしながら、伸縮性のために通常用いる低弾力のラテックスや一般スパンデックス素材とダブルカバーリングゴム糸を一部用い、ナイロンやその他の一般ポリウレタン素材の低弾力化学糸が大いに含まれている繊維により編織されてきたのが現状である。
以下、図１に基づき、通常の靴下の機能を説明する。
図１は、通常の靴下の斜視図である。
図１に示すように、足の指部２と足の裏部３及びかかと部４は、水分を円滑に吸収するために足の指部２とかかと部４は無地組織に編織され、足の甲部５、足首の下端部６及び足首部７は伸縮性のために通常用いるラテックス素材のダブルカバーリングゴム糸を一部用い、ナイロンやその他の一般ポリウレタン素材の低弾性化学糸が大いに含まれている繊維により編織されて靴下の基本骨格をなしている。
そして、前記ラテックス素材のダブルカバーリングゴム糸を特定の部位に限って用いるため、製品の外観と特定の部位にのみ用いる問題により生じうる特定な部位の絞り現象による血流を阻害する問題や、靴下の着用後に見られるゴム跡、そして、特に、皮膚が弱い人の場合、その跡によるアレルギー現象としてみなしうる痒み症などの現象が発生し、足首の場合にはゴム糸部を緩めて編織している。
その上、一部のスポーツ靴下の場合、足の裏や足首の一部に特別に一般ラテックス素材のダブルカバーリングゴム糸を入れて編織して相対的な伸縮性の違いだけをもって機能性の靴下として表現して用いてきたのが現状である。
また、通常、原糸は、それ自体の高弾力性により別途の加工無しにライクラーソフト原糸のみを用いて別途のポリウレタン原糸用の滑り止め装置が講じられている特殊な原糸給糸装置を用いて製品を生産してきている。
前記の方式により靴下を生産する場合には、ライクラーソフト原糸（５２０デニール）の固有な特性、つまり、一般の原糸に比べて強い復元力と伸張力を有する特性が靴下にそのまま発現される。
しかし、ライクラーソフト原糸（５２０デニール）により加工された靴下であるとしても、レポーツ用途の靴下においては、伸張率を一層制限する必要があるが、従来のライクラーソフト原糸（５２０デニール）製の靴下においては、伸張率を制限し得ない。
また、一般的な靴下編織機のゴム糸給糸装置の構造及び特性から、ライクラーソフト原糸では原糸の滑り現象により編織を意図の通りにできない。
図１に示すように、通常の靴下の本体は、単に足にできる水分を吸収して流下することを防止できるが、極端的な例として、浮腫患者や長時間立ちっぱなしで作業する勤労者の足部に生じうる血流による問題を解決するにはある程度の圧力（絞り）が足首と足の裏及び足の甲に加えられる必要があるが、前述の問題と素材の限界性及び編織技術の限界性により単に足を包む機能のみを行うという問題点がある。
【発明の開示】
【発明が解決しようとする課題】
本発明が解決しようとする技術的な課題は、高弾力弾性糸を用いて多段階で横方向のゴム糸の編織張力を調整して、足に留まりうる血液を身体の双方向から圧迫をかけることにより却って血流を促進する機能性の圧迫靴下を提供するところにある。
【課題を解決するための手段】
前記技術的な課題を解消するための本発明による圧迫長靴下は、足の部位別に圧迫の強度が保持されるように脛部、ふくら脛部、足の甲部、足の指部、かかと部及び足の裏部よりなる機能性の圧迫長靴下において、前記脛部、ふくら脛部、足の甲部及び足の裏部は、高弾力弾性糸をゴム糸として、且つ、ポリウレタン系の長繊維糸によりシングルカバーリングされた原糸や長繊維合繊糸を裏糸として前記部位別に所定の割合で編織され、前記足の指部とかかと部はポリウレタン系の長繊維糸によりシングルカバーリングされた原糸や長繊維合繊糸を裏糸として編織されていることを特徴とする。
また、前記高弾力弾性糸は、ナイロン７０Ｄ／２４Ｆ／１の高速仮拠糸によりダブルカバーリングされたライクラーソフト原糸であることを特徴とする。
さらに、前記長繊維合成糸は、ポリアミド糸、ポリエステル糸、ポリプロピレン糸のうちいずれか１種であることを特徴とする。
また、前記脛部と足の甲部は、ゴム糸と裏糸の割合が２：２の肋骨組織に編織され、前記ふくら脛部と足の裏部は、ゴム糸と裏糸の割合が１：１の肋骨組織に編織されていることを特徴とする。
また、前記足の指部とかかと部は、無地組織に編織されていることを特徴とする。
【発明の効果】
本発明によれば、高弾力弾性糸を用いて多段階で横方向ゴム糸の編織張力を調整した多段系の圧縮編織技術を用いることにより、足に留まりうる血液を身体の双方向から圧迫をかけることにより却って血流を促進して長靴下の場合には医療用の静脈瘤、浮腫の予防及び治療用の靴下の生産が可能である。
また、足首部を高弾力で圧迫することにより、別途の足首の保護帯がなくても足首の保護機能を行うことができる。
また、足と靴下の温度の上昇を防ぐと共に、発生熱を直ちに吸収して履物を介して直ちに外部に発散し、過大な温度上昇による足の窮屈さを顕著に低減可能である。
【発明を実施するための最良の形態】
以下、図面に基づき本発明を詳細に説明する。
図２は、本発明による機能性の圧迫長靴下の一実施の形態を示すものであって、脛部１１、ふくら脛部１４、足の甲部１２、足の指部１７、かかと部１６及び足の裏部１５により構成される。
前記脛部１１、ふくら脛部１４、足の甲部１２及び足の裏部１５は高弾力弾性糸をゴム糸として、且つ、ポリウレタン系の長繊維糸によりシングルカバーリングされた原糸や長繊維合繊糸を裏糸として編織されている。
前記高弾力弾性糸としては、ねじれの防止及び伸縮性の維持のために、ナイロン７０Ｄ／２４Ｆ／１高速仮拠糸でＳよりまたはＺよりによりダブルカバーリングされた原糸が用いられ、前記原糸は、ポリウレタン系のライクラーソフト５２０デニール原糸である。
そして、前記足の指部１７とかかと部１６は、高弾力弾性糸を用いることなく、通常のポリウレタン系の長繊維糸によりシングルカバーリングされた原糸や長繊維合繊糸を裏糸として編織して、圧縮力が足の指部１７とかかと部１６に加えられず、足の指部１７を自然に動かすことができ、足の指の血流活動を円滑にする。
前記長繊維合成糸としては、ポリアミド糸、ポリエステル糸、ポリプロピレン糸のうちいずれか１種を用いる。
前記脛部１１と足の甲部１２は２：２肋骨組織に編織され、前記ふくら脛部１４と足の裏部１５は１：１肋骨組織に編織され、前記足の指部１７とかかと部１６は無地組織に編織される。このとき、足の甲部１２と足の裏部１５に加えられる圧縮力は、血流と同じ方向に加えられるように肋骨組織が設けられており、血流には差し支えない。
そして、前記足の甲部１２と足の裏部１５はそれぞれ２：２肋骨組織と１：１肋骨組織に編織されており、足の裏部１５に加えられる圧縮力よりも、足の甲部１２に加えられる圧縮力の方が強くて柔らかく作用される。
前記脛部１１の下部は、全体として２：２肋骨組織に編織されて、極めて強い圧縮力を有することになり、これにより、足首の弱い人や老若者の足首を保護する上で極めて有効である。
このようにして２：２肋骨組織に編織された脛部１１の下部には別途の圧迫包帯を用いる必要がなく、外観上きれいであり、特に、履物を履き脱ぎするのに全く負担無しに、却って通常の靴下及び通常の機能性の靴下よりも一層自然に履き脱ぎすることができる。
また、前記脛部１１は２：２肋骨組織に編織して圧縮力を強め、ふくら脛部１４は１：１肋骨組織に編織して脛部１１の圧縮力よりも弱い圧縮力を有する。
図３は、本発明による機能性の圧迫長靴下の正面図と背面図である。
図４は、本発明による機能性の圧迫長靴下の側面図であり、脛部１１を大きく３ブロックにゴム糸の幅のグループに分けて示している。
前記長靴下の脛部１１の編織方法において、脛部１１を３種の大ブロックにゴム糸の幅にグループ分けし、その中でも多段階で高弾力弾性糸の横方向の編織張力を調整した多段系の圧縮編織技術を適用することにより、外観からも脛部１１がツボ状の製品の外観を有し、これにより、身体構造に適した製品の外観のみならず、着用時にも部位別に柔らかくて強い圧迫により第２の高弾力の機能性の弾性皮膚の役割を果たすことができる。
図５は、本発明による機能性の圧迫長靴下の裏組織を示すものであり、足の裏から脛の上端部位までを示している。
図５の場合は、本発明の長靴下の裏の組織を図すものであり、足の裏部１５から脛部１１まで徐々に高弾力弾性糸を用いて原糸の水平方向の張力調節による体型に合う多段系の圧迫編織技術を適用して高弾力に編織することにより、体型に合うように足の裏部１５から脛部１１まで徐々に減圧されるように編織することにより、物理的な効果による血液の上向きの流れを円滑にして、さらには、静脈瘤、浮腫の治療及び予防の効果が得られる。
前記高弾力弾性糸を用いて身体の部位別に体型に合う強度の維持のための方法を調べてみると、機械の下部にドラム装置のない通常の靴下編織機を用いて各コース単位でダブルカバーリング使用ローラー及びステッピングモーターにより原糸の編織時に製品を基準として横方向に編織時に原糸が編織される速度を部位別に多段階で調節することにより編織がなされて体型に合う製品の幅が出るように製品の全体に前記高弾力弾性糸を用いて編織することにより、体型に合う高弾力多段系の圧迫靴下を実用化している。
そして、足首の前面部位の高弾力弾性糸の編織方法を調べてみると、現在までの編織技術によっては不可能であった足首の前面部位に高弾力弾性糸を用いて足の裏から足首まで編織を行う場合の１−２コース抜き現象による外観上の問題点を技術的に解消して完璧に足の裏部１５から脛部１１までを前記高弾力弾性糸を通常のラテックス素材のダブルカバーリングゴム糸に代えて編織することにより、通常のラテックス素材のダブルカバーリングゴム糸を用いて生産していた製品には見られない着用感と物理的な効果が得られる。
しかしながら、本発明と同レベルの高弾力を要することはないが、ある程度の既存の靴下の低弾力よりはやや強い弾力を要する場合には、通常の靴下の製造に通常用いられるラテックス素材のダブルカバーリング糸や用途によって異なる強度の通常のポリウレタン原糸やポリウレタン系の高弾力弾性糸であるライクラーソフト原糸を芯糸として、ナイロン７０Ｄ／２４Ｆ／１高速仮拠糸によりダブルカバーリング加工された原糸を用いて同じ方式の編織方法により用途に相異なる製品を編織することもできる。
図６は、本発明による機能性の圧迫中靴下の一実施の形態を示すものであり、靴下の入り口の絞り部２１、足首部２２、足の甲部２３、足の指部２４、かかと部２５及び足の裏部２６により構成されている。
前記靴下の入り口の絞り部２１、足首部２２、足の甲部２３及び足の裏部２６は、高弾力弾性糸をゴム糸として、且つ、ポリウレタン系の長繊維糸によりシングルカバーリングされた原糸や長繊維合繊糸を裏糸として編織されている。
前記高弾力弾性糸としては、ねじれの防止及び伸縮性の維持のために、ナイロン７０Ｄ／２４Ｆ／１高速仮拠糸でＳよりまたはＺよりによりダブルカバーリングされた原糸が用いられ、前記原糸はポリウレタン系のライクラーソフト５２０デニール原糸である。
そして、前記足の指部２４とかかと部２５はポリウレタン系の長繊維糸によりシングルカバーリングされた原糸や長繊維合繊糸を裏糸として編織される。
前記長繊維合成糸としては、ポリアミド糸、ポリエステル糸、ポリプロピレン糸のうちいずれか１種を用いる。
前記靴下の入り口の絞り部２１は３：１肋骨組織に編織され、前記足首部２２は２：２肋骨組織に編織され、前記足の甲部２３と足の裏部２６は１：１肋骨組織に編織され、前記足の指部２４とかかと部２５は無地組織に編織されることが好ましい。
図７は、本発明による機能性の圧迫短靴下の正面図及び背面図である。
図８は、本発明による機能性の圧迫短靴下の一実施の形態を示すものであり、靴下の入り口の絞り部３１、足首の下端部３２、足の甲部３３、足の指部３４、かかと部３５及び足の裏部３６により構成されている。
前記靴下の入り口の絞り部３１、足首の下端部３２、足の甲部３３及び足の裏部３６は、高弾力弾性糸をゴム糸として、且つ、ポリウレタン系の長繊維糸によりシングルカバーリングされた原糸または長繊維合繊糸を裏糸として編織されている。
前記高弾力弾性糸としては、ねじれの防止及び伸縮性の維持のために、ナイロン７０Ｄ／２４Ｆ／１高速仮拠糸でＳよりまたはＺよりによりダブルカバーリングされた原糸が用いられ、前記原糸はポリウレタン系のライクラーソフト５２０デニール原糸である。
そして、前記足の指部３４とかかと部３５は、ポリウレタン系の長繊維糸によりシングルカバーリングされた原糸または長繊維合繊糸を裏糸として編織される。
前記長繊維合成糸としては、ポリアミド糸、ポリエステル糸、ポリプロピレン糸のうちいずれか１種を用いる。
前記靴下の入り口の絞り部３１は３：１肋骨組織に編織され、前記足首の下端部３２は２：２肋骨組織に編織され、前記足の甲部３３と足の裏部３６は１：１肋骨組織に編織され、前記足の指部３４とかかと部３５は無地組織に編織されることが好ましい。
図９は、本発明による機能性の圧迫短靴下の正面図及び背面図である。
図１０は、本発明による機能性の圧迫ヌードソックスの一実施の形態を示すものであって、靴下の入り口の絞り部４１、足首の下端部４２、第１の足の甲部４３、第２の足の甲部４４、足の指部４５、かかと部４６及び足の裏部４７により構成されている。
前記靴下の入り口の絞り部４１、足首の下端部４２、第１の足の甲部４３、第２の足の甲部４４及び足の裏部４７は高弾力弾性糸をゴム糸として、且つ、ポリウレタン系の長繊維糸によりシングルカバーリングされた原糸または長繊維合繊糸を裏糸として編織されている。
前記高弾力弾性糸としては、ねじれの防止及び伸縮性の維持のために、ナイロン７０Ｄ／２４Ｆ／１高速仮拠糸でＳよりまたはＺよりによりダブルカバーリングされた原糸が用いられ、前記原糸はポリウレタン系のライクラーソフト５２０デニール原糸である。
そして、前記足の指部４５とかかと部４６はポリウレタン系の長繊維糸によりシングルカバーリングされた原糸または長繊維合繊糸を裏糸として編織される。
前記長繊維合成糸としては、ポリアミド糸、ポリエステル糸、ポリプロピレン糸のうちいずれか１種を用いる。
前記靴下の入り口の絞り部４１は３：１肋骨組織に編織され、前記足首の下端部４２と第１の足の甲部４３は２：２肋骨組織に編織され、前記第２の足の甲部４４と足の裏部４７は１：１肋骨組織に編織され、前記足の指部４５とかかと部４６は無地組織に編織されることが好ましい。
図１１は、本発明による機能性の圧迫ヌードソックスの正面図及び背面図である。
図１２は、本発明に用いられるダブルカバーリングされたライクラーソフト原糸を示すものであり、原糸５１及びナイロン高速仮拠糸５２、５３よりなる。
原糸５１は、織物の原料となる糸のことであって、本発明においては、ポリウレタン系のライクラーソフト原糸を用い、前記ライクラーソフト原糸５１は５２０デニール原糸である。
ナイロン高速仮拠糸５２、５３は常温下での伸縮性がよく、熱加工による収縮性に優れた材質であって、本発明においては、ナイロン７０Ｄ／２４Ｆ／１高速仮拠糸を用いる。
前記原糸５１の加工後のねじれの防止及び伸縮性の維持のために、ナイロン７０Ｄ／２４Ｆ／１高速仮拠糸５２、５３によりＳよりまたはＺよりでダブルカバーリングされた状態を示す。
前記ダブルカバーリングは、Ｓよりで１次カバーリングし、Ｚよりで２次カバーリングしたり、あるいは、Ｚよりで１次カバーリングし、Ｓよりで２次カバーリングする。
図１３は、本発明による機能性の圧迫パイル長靴下の一実施の形態を示すものであり、靴下の入り口の絞り部６１、脛の上端部６２、脛の下端部６３、足の甲部６４、足の指部６５、かかと部６６及び足の裏部６７よりなる。
前記靴下の入り口の絞り部６１、脛の上端部６２、脛の下端部６３、足の甲部６４及び足の裏部６７は高弾力弾性糸をゴム糸として、且つ、ポリウレタン系の長繊維糸によりシングルカバーリングされた原糸または長繊維合繊糸を裏糸として編織されている。
前記高弾力弾性糸としては、ねじれの防止及び伸縮性の維持のために、ナイロン７０Ｄ／２４Ｆ／１高速仮拠糸でＳよりまたはＺよりによりダブルカバーリングされた原糸が用いられ、前記原糸はポリウレタン系のライクラーソフト５２０デニール原糸である。
そして、前記足の指部６５とかかと部６６はポリウレタン系の長繊維糸によりシングルカバーリングされた原糸または長繊維合繊糸を裏糸として編織される。
前記長繊維合成糸としては、ポリアミド糸、ポリエステル糸、ポリプロピレン糸のうちいずれか１種を用いる。
前記靴下の入り口の絞り部６１、脛の上端部６２は、表は３：１肋骨組織に編織され、裏はパイル組織に編織される。
ここで、前記靴下の入り口の絞り部６１は、表と裏を３：１肋骨組織に編織することもできる。
前記脛の下端部６３は、表は２：１肋骨組織に編織され、裏はパイル組織に編織される。
前記足の甲部６４と足の裏部６７は、表は１：１肋骨組織に編織され、裏はパイル組織に編織される。
前記足の指部６５とかかと部６６は、表は無地組織に編織され、裏はパイル組織に編織される。
図１４は、本発明による機能性の圧迫パイル長靴下の正面図及び背面図である。
参照符号Ａ−１、Ａ−２、Ｂ、Ｃは、部位別に相異なる身体の体型に合う多段系の圧迫組織を示す。
図１５は、本発明による機能性の圧迫パイル長靴下の裏部に対する正面図及び背面図である。
参照符号丸１は靴下の入り口の絞り部であって、３：１肋骨組織に編織される。
参照符号丸２と丸３は脛の上端部、脛の下端部、足の甲部、足の指部、かかと部及び足の裏部であって、パイル組織に編織されるが、用途に応じてパイル組織の加減は可能である。
図１６は、本発明による機能性の圧迫パイル長靴下の裏部に対する正面図及び背面図である。
参照符号丸１は靴下の入り口の絞り部であって、裏部の無地組織（３：１肋骨組織）を示し、参照符号丸２と丸３は脛の上端部、脛の下端部、足の甲部、足の指部、かかと部及び足の裏部であって、裏部のパイル組織が用いられている部位を示し、丸４丸５丸６丸７丸８（Ａ）（Ｂ）（Ｃ）（Ｄ）部は部位別に相異なる身体の体型に合う多段系の圧迫組織を示し、横線により示す部分はパイル組織の裏に高弾力弾性糸が用いられている部位を示す。
上述したように、本発明においては、高弾性弾性糸であるライクラーソフト原糸を用いてダブルカバーリング方法により別途のナイロン７０Ｄ／２４Ｆ／１高速仮拠糸を最適な条件下で巻き付けることにより、芯糸であるライクラーソフト原糸そのものの伸張率を維持させ、前記ライクラーソフト原糸に固有な特性である一般の原糸に比べてはより強い復元力を同時に活用することにより、単一種であるが、２通りの完全に異なる概念の特性を有する原糸としての特性を活用し、また、編織技術及び後染などの熱加工方法を追加することにより前記原糸の高弾力特性を倍加させる。
そして、ライクラーソフト原糸を用いてダブルカバーリング方法により別途のナイロン７０Ｄ／２４Ｆ／１高速仮拠糸を最適な条件下で巻き付けることにより、別途のポリウレタン原糸専用の滑り止め装置が講じられている原糸給糸装置を使用可能になることにより、量産及び低コスト化を図ることが可能である。
また、前記高弾力弾性糸を用いることにより、ライクラーソフト原糸の固有な復元力は最大限に活用しながらも、ダブルカバーリングを通じてその伸張率を適度なレベルに維持（制限）させて強力な圧迫力を発揮させて、通常の靴下の製造に通常用いられるラテックス素材のダブルカバーリング糸を用いる場合の問題点などを解消すると共に、一段と高いレベルの物理的な特性（柔らかくて強い復元力）を与える。
そして、高弾力弾性糸の使用部位を調べてみると、特定の部位にのみ前記高弾力弾性糸を用いるのではなく、靴下の全体に亘ってこれを用い、身体の部位別に体型に合う強度の維持は、靴下編織機により前記高弾力弾性糸の速度調節により体型に合うようにかかとと足の指部を除き、靴下の全体に用いて、体型に合う高弾力の多段系の圧迫編織方法を用いることにより、足に留まりうる血液を身体の双方向から圧迫をかけることにより、却って血流を促進して長靴下の場合は医療用の静脈瘤、浮腫の予防及び治療用の靴下の生産が可能な強い復元力と低い伸張率の原糸の高弾力特性と、多段系の圧迫編織技術とを組み合わせたことを特徴とする。
以上、本発明は図示された実施の形態を参考として述べられているが、これは単なる例示的なものに過ぎず、この技術分野における通常の知識を有した者であれば、これより種々の変形及び均等な他の実施の形態が可能であるということが理解できるであろう。よって、本発明の真の技術的な保護範囲は特許請求の範囲の技術的な思想によって定まるべきである。
【産業上の利用可能性】
足首の弱い人や老若者の足首を保護するための別途の足首保護帯を着用することなく、足首保護帯を内蔵した靴下として使用可能にするのに極めて有効である。
足の裏部の足底筋を保護する用途としても使用可能であり、第２の高弾力の機能性の弾性皮膚の役割を果たして足と下地の皮膚を物理的に保護できる用途として使用可能であり、足の裏部から脛部まで徐々に高弾力弾性糸を用いて原糸の水平方向の張力調節による体型に合う多段系の圧迫編織技術を適用した関係で高弾力に編織することにより、体型に合うように足の裏部から脛部まで徐々に減圧されるように編織することにより、物理的な効果による血液の上向きの流れを円滑にして、静脈瘤、浮腫の治療及び予防用の靴下として使用可能であり、体型に合う高弾力多段系の圧迫靴下であるため、ダイエット、体型補正用としても使用可能である。
また、これをスポーツ用途に用いる場合には、より様々な用途としての使用が可能である。
以上、本発明は図示された実施の形態を参考として述べられているが、これは単なる例示的なものに過ぎず、この技術分野における通常の知識を有した者であれば、これより種々の変形及び均等な他の実施の形態が可能であるということが理解できるであろう。よって、本発明の真の技術的な保護範囲は特許請求の範囲の技術的な思想によって定まるべきである。
【図面の簡単な説明】
【図１】通常の靴下の斜視図である。
【図２】本発明による機能性の圧迫長靴下の斜視図である。
【図３】本発明による機能性の圧迫長靴下の正面図及び背面図である。
【図４】本発明による機能性の圧迫長靴下の左右側面図である。
【図５】本発明による機能性の圧迫長靴下の裏部に対する正面図及び背面図である。
【図６】本発明による機能性の圧迫中靴下の斜視図である。
【図７】本発明による機能性の圧迫中靴下の裏部に対する正面図及び背面図である。
【図８】本発明による機能性の圧迫短靴下の斜視図である。
【図９】本発明による機能性の圧迫短靴下の裏部に対する正面図及び背面図である。
【図１０】本発明による機能性の圧迫ヌードソックスの斜視図である。
【図１１】本発明による機能性の圧迫ヌードソックスの裏部に対する正面図及び背面図である。
【図１２】本発明に用いられるダブルカバーリングされたライクラーソフト原糸を示す図である。
【図１３】本発明による機能性の圧迫パイル長靴下の一実施の形態を示す図である。
【図１４】本発明による機能性の圧迫パイル長靴下の正面図及び背面図である。
【図１５】本発明による機能性の圧迫パイル長靴下の裏部に対する正面図及び背面図である。
【図１６】本発明による機能性の圧迫パイル長靴下の裏部に対する正面図及び背面図である。
【符号の説明】
１１：脛部
１２：足の甲部
１４：ふくら脛部
１５：足の裏部
１６：かかと部 
１７：足の指部
【国際調査報告】
2007517145.tif 000019
2007517145.tif 000020